(57)【要約】【課題】投射距離の差による輝度値のばらつきを抑制できるプロジェクタを提供すること。【解決手段】本発明によれば、各画素の位置による輝度変化を補正する補正係数に基づいて、すなわち、補正係数を画像情報の各画素の輝度値に乗算するなどして、画像情報の各画素の輝度値を補正する補正部４２を備えているので、補正前の画像情報において輝度値が等しい画素の輝度値を、投射画像での輝度値が等しくなるように補正できる。そのため、投射画像における各画素の輝度値のばらつきを抑制でき、全体として輝度が均一な投射画像を形成できる。【選択図】図２
2009216767.tif 000002
【特許請求の範囲】
【請求項１】
光源装置と、光源装置から射出された光束を画像情報に応じて変調して画像光を形成する光変調装置と、前記画像光を投射面に拡大投射する投射光学装置とを備えたプロジェクタであって、
サンプル画像に係る各画素の輝度値が等しいサンプル画像情報の各画素の輝度値に所定の演算処理されることで、前記投射面上に形成された前記サンプル画像の各画素の位置による輝度変化を補正する補正係数に基づいて、前記画像情報の各画素の輝度値を補正する補正部と、
補正された前記画像情報を前記光変調装置に出力する出力部とを備えていることを特徴とするプロジェクタ。
【請求項２】
請求項１に記載のプロジェクタにおいて、
前記サンプル画像の画素の輝度値を測定可能な輝度値測定装置を備え、
前記補正部は、
前記サンプル画像情報を生成するサンプル画像生成手段と、
前記輝度値測定装置を制御して前記サンプル画像の画素の輝度値を測定する輝度値測定手段と、
測定した前記サンプル画像の画素の輝度値から前記補正係数を算出する補正係数算出手段と、
前記補正係数を前記画像情報の各画素の輝度値に乗算する乗算手段とを備えていることを特徴とするプロジェクタ。
【請求項３】
請求項２に記載のプロジェクタにおいて、
前記輝度値測定装置を制御して前記サンプル画像の複数の領域の画素の輝度値を測定する前記輝度値測定手段と、
測定した前記サンプル画像の複数の領域の画素の輝度値から前記サンプル画像の任意の位置の画素の輝度値を算出する輝度値算出手段と、
前記サンプル画像の各画素の輝度値のうち、所定の輝度値を抽出する抽出手段とを備え、
前記補正係数算出手段は、前記画像情報の各画素に対応する前記サンプル画像の画素の輝度値と、前記所定の輝度値とに基づいて前記補正係数を算出することを特徴とするプロジェクタ。
【請求項４】
請求項３に記載のプロジェクタにおいて、
前記所定の輝度値は、前記サンプル画像の各画素の輝度値のうち、最小の輝度値であることを特徴とするプロジェクタ。
【請求項５】
請求項１に記載のプロジェクタにおいて、
当該プロジェクタから前記投射面までの距離を測定可能な距離測定装置と、
前記投射面までの距離ごとに前記補正係数が紐付けられた補正テーブルを記憶する記憶部とを備え、
前記補正部は、
前記距離測定装置を制御して当該プロジェクタから前記投射面までの距離を測定する距離測定手段と、
前記記憶部から、前記投射面までの距離に応じた前記補正係数を取得する取得手段と、
前記補正係数を前記画像情報の各画素の輝度値に乗算する乗算手段とを備えていることを特徴とするプロジェクタ。
【発明の詳細な説明】
【技術分野】
【０００１】
本発明は、プロジェクタに関する。
【背景技術】
【０００２】
従来、光源装置と液晶パネルと投射レンズとを備えたプロジェクタが知られている（例えば、特許文献１参照）。このプロジェクタでは、液晶パネルにより光源装置から射出された光束を画像情報に基づいて変調し、投射レンズにより画像光をスクリーン等の投射面上に拡大投射する。
【０００３】
【特許文献１】特開２００５−２７５０９０号公報
【発明の開示】
【発明が解決しようとする課題】
【０００４】
しかしながら、特許文献１に記載のプロジェクタでは、画像情報における各画素の輝度値が等しくても、各画素ごとに投射面との距離が異なるため、投射画像においては例えば中心部に比べて周辺部が暗くなってしまうなど、各画素の投射距離に応じて投射画像での各画素の輝度値にばらつきが生じてしまうという問題があった
【０００５】
本発明の目的は、投射距離の差による輝度値のばらつきを抑制できるプロジェクタを提供することにある。
【課題を解決するための手段】
【０００６】
本発明のプロジェクタは、光源装置と、光源装置から射出された光束を画像情報に応じて変調して画像光を形成する光変調装置と、前記画像光を投射面に拡大投射する投射光学装置とを備えたプロジェクタであって、サンプル画像に係る各画素の輝度値が等しいサンプル画像情報の各画素の輝度値に所定の演算処理されることで、前記投射面上に形成された前記サンプル画像の各画素の位置による輝度変化を補正する補正係数に基づいて、前記画像情報の各画素の輝度値を補正する補正部と、補正された前記画像情報を前記光変調装置に出力する出力部とを備えていることを特徴とする。
【０００７】
補正係数は、各画素の輝度値が等しいサンプル画像情報の各画素の輝度値に所定の演算処理、例えば乗算されることで、当該サンプル画像情報に基づいて形成されるサンプル画像における各画素の位置による輝度変化（例えば中央部の画素の輝度値は高く周辺部の画素の輝度値は低い）を補正し、サンプル画像の各画素の輝度値を等しくする。
本発明によれば、このような各画素の位置による輝度変化を補正する補正係数に基づいて、すなわち補正係数を画像情報の各画素の輝度値に乗算するなどして、画像情報の各画素の輝度値を補正するので、補正前の画像情報において輝度値が等しい画素の輝度値を、投射画像での輝度値が等しくなるように補正できる。そのため、投射画像における各画素の輝度値のばらつきを抑制でき、全体として輝度が均一な投射画像を形成できる。
【０００８】
本発明のプロジェクタでは、前記サンプル画像の画素の輝度値を測定可能な輝度値測定装置を備え、前記補正部は、前記サンプル画像情報を生成するサンプル画像生成手段と、前記輝度値測定装置を制御して前記サンプル画像の画素の輝度値を測定する輝度値測定手段と、測定した前記サンプル画像の画素の輝度値から前記補正係数を算出する補正係数算出手段と、前記補正係数を前記画像情報の各画素の輝度値に乗算する乗算手段とを備えていることが好ましい。
本発明によれば、実際の投射面上に形成されたサンプル画像の輝度値に基づいて補正係数を算出するので精度よく補正できる。
【０００９】
本発明のプロジェクタでは、前記輝度値測定装置を制御して前記サンプル画像の複数の領域の画素の輝度値を測定する前記輝度値測定手段と、測定した前記サンプル画像の複数の領域の画素の輝度値から前記サンプル画像の任意の位置の画素の輝度値を算出する輝度値算出手段と、前記サンプル画像の各画素の輝度値のうち、所定の輝度値を抽出する抽出手段とを備え、前記補正係数算出手段は、前記画像情報の各画素に対応する前記サンプル画像の画素の輝度値と、前記所定の輝度値とに基づいて前記補正係数を算出することが好ましい。
【００１０】
サンプル画像の各画素における輝度値は、各画素の輝度値のうちの所定の輝度値に対し、（画素の輝度値）／（所定の（画素の）輝度値）倍の大きさを有することになるが、本発明によれば、補正係数を、サンプル画像の画素の輝度値と、所定の輝度値とに基づいて補正係数を算出する、すなわち、例えば補正係数を（所定の輝度値）／（画素の輝度値）と算出する。従って、この補正係数を画像情報の各画素の輝度値に例えば乗算することで、画像情報の各画素の輝度値を、サンプル画像での輝度値の大きさに応じて増減できるので、すなわち投射距離に応じて増減できるので、画像情報の各画素の輝度値を投射画像において輝度値が等しくなるように確実に補正できる。
【００１１】
本発明のプロジェクタでは、前記所定の輝度値は、前記サンプル画像の各画素の輝度値のうち、最小の輝度値であることが好ましい。
補正係数における所定の輝度値を、サンプル画像の各画素の輝度値のうちの最大輝度値とし、投射画像での輝度値が低くなる画像情報の画素の輝度値を増加させる構成とした場合、当該画素の輝度値が最大値に設定されていた場合には当該画素の輝度値を補正できないという問題がある。
これに対し、本発明によれば、前記所定の輝度値を最小輝度値とし、投射画像での輝度値が高くなる画像情報の画素の輝度値を低減する構成としたので、画像情報の各画素の輝度値を確実に補正できる。
【００１２】
本発明のプロジェクタでは、当該プロジェクタから前記投射面までの距離を測定可能な距離測定装置と、前記投射面までの距離ごとに前記補正係数が紐付けられた補正テーブルを記憶する記憶部とを備え、前記補正部は、前記距離測定装置を制御して当該プロジェクタから前記投射面までの距離を測定する距離測定手段と、前記記憶部から、前記投射面までの距離に応じた前記補正係数を取得する取得手段と、前記補正係数を前記画像情報の各画素の輝度値に乗算する乗算手段とを備えていることが好ましい。
本発明によれば、補正係数を、記憶部から、測定した投射面までの距離に応じて取得するので、補正係数を算出するための複雑な演算処理を不用にできる。
【発明を実施するための最良の形態】
【００１３】
〔第１実施形態〕
以下、本発明の第１実施形態を図面に基づいて説明する。
図１は、本実施形態のプロジェクタ１を示す斜視図である。なお、図１では、プロジェクタ１は台Ｄ上に載置されている。図２は、プロジェクタ１の構成を示すブロック図である。
プロジェクタ１は、図１に示すように、本実施形態ではスクリーンや壁面等の投射面Ｔの正面に設置され、投射面Ｔに対して真正面から画像光を投射する。このプロジェクタ１は、図２に示すように、画像情報に応じた画像光を形成して投射面Ｔに拡大投射する光学ユニット２と、投射面Ｔ上に映し出された投射画像の複数の領域の画素の輝度値を測定する輝度値測定装置３と、プロジェクタ１全体を制御する制御装置４とを備えている。
【００１４】
光学ユニット２は、光源装置２１と、光変調装置としての液晶パネル２２と、投射光学装置２３とを備えている。また、図示を略したが、光学ユニット２は、これらの構成のほか、光源装置２１から射出された光束をＲ（赤）、Ｇ(緑)、およびＢ（青）の各色光に分離する色分離光学装置と、各色光を合成するクロスダイクロイックプリズム等の色合成光学装置とを備えている。
【００１５】
光源装置２１は、放電型の光源ランプと、光源ランプから射出された放射光を反射して所定位置に収束させるリフレクタとを備え、制御装置４による制御の下、所定電圧を入力されて光束を前述の色分離光学装置側へ射出する。光源より射出された光束は、色分離光学装置により、前述したように、Ｒ、Ｇ、Ｂの各色光に分離される。
【００１６】
液晶パネル２２は、色分離光学装置により分離されたＲ、Ｇ、Ｂの各色光の光路上にそれぞれ配置された３つの液晶パネルから構成されており、制御装置４による制御の下、入射光束を画像情報に応じて変調する。具体的には、各液晶パネル２２は、それぞれ、後述する画像情報のＲ、Ｇ、Ｂの内のいずれかの成分の輝度値に基づいて駆動される。液晶パネル２２により変調された画像光は色合成光学装置により合成される。
投射光学装置２３は、鏡筒と、鏡筒内に収納された複数の投射レンズとを備え、色合成光学装置により合成された画像光を投射面Ｔ上に拡大投射する。
【００１７】
輝度値測定装置３は、例えばＣＣＤ（Charge Coupled Device）を備えて構成され、後述するサンプル画像の画素の輝度値を測定する。
制御装置４は、ＣＰＵ（Central Processing Unit）や記憶装置が実装された回路基板として構成され、画像情報取得部４１と、補正部４２と、出力部４３とを備えている。
画像情報取得部４１は、プロジェクタ１に接続されたパーソナルコンピューターなどの外部機器から表示画像に係る画像情報を取得する。画像情報は、画素ごとにＲ、Ｇ、Ｂの輝度値（階調値）が例えば２５６階調（０〜２５５）で設定されている。
【００１８】
補正部４２は、画像情報取得部４１により取得された画像情報を補正し、当該画像情報に係る投射画像の輝度値のばらつきを抑える。この補正部４２は、サンプル画像生成手段４２１と、輝度値測定手段４２２と、輝度値算出手段４２３と、抽出手段４２４と、補正係数算出手段４２５と、乗算手段４２６とを備えている。
【００１９】
サンプル画像生成手段４２１は、Ｒ，Ｇ，Ｂのうちいずれかの色の単色のサンプル画像を形成する。サンプル画像の画像情報（本発明のサンプル画像情報）では、Ｒ，Ｇ，Ｂのうち、いずれか２つの成分の輝度値が０にされ、他の成分の輝度値はどの画素も等しい値に設定される。なお、画像情報取得部４１は、各成分の輝度値を等しくした画像情報を生成し、白色のサンプル画像を形成してもよい。
【００２０】
輝度値測定手段４２２は、輝度値測定装置３を制御し、投射されたサンプル画像の複数の領域における画素の輝度値を測定する。
輝度値算出手段４２３は、前記輝度値に基づいて、サンプル画像の任意の位置(x’,y’)の画素(x’,y’)における輝度値br(x’,y’)を算出する。
【００２１】
抽出手段４２４は、サンプル画像の画素(x’,y’)のうち、最小の輝度値br_minを抽出する。
補正係数算出手段４２５は、画像情報の画素（x,y）ごとに、当該画素（x,y）に対応するサンプル画像の画素(x’,y’)の輝度値br(x’,y’)と最小輝度値br_minとに基づいて補正係数を算出する。
乗算手段４２６は、画像情報の各画素（x,y）の輝度値に前記補正係数を乗算する。
出力部４３は、補正された画像情報を各液晶パネル２２に出力して各液晶パネル２２を駆動する。
【００２２】
以下、プロジェクタ１による画像情報補正処理について説明する。
図３は、画像情報補正処理を示すフローチャートである。
以下の各工程は、ユーザによってプロジェクタ１が所定の操作をされることにより実行される。ユーザによりプロジェクタ１が所定の操作をされると、まず、画像情報取得部４１は、コンピュータなどの外部機器から表示画像に係る画像情報を取得する（ステップＳ１）。
【００２３】
ステップＳ１の後、サンプル画像生成手段４２１は、Ｒ，Ｇ，Ｂのうちいずれかの単色のサンプル画像を形成する（ステップＳ２）。サンプル画像の画像情報における各画素（x,y）の輝度値（階調値）は全て等しい値に設定されている。
ステップＳ２の後、輝度値測定手段４２２は、輝度値測定装置３を制御し、投射されたサンプル画像の複数の領域を測定し、当該領域の画素の輝度値を取得する（ステップＳ３）。具体的には、輝度値測定手段４２２は、サンプル画像において、例えば、中心部を通る水平方向において、所定距離ごとに画素(x’,y’)の輝度値を取得する。
【００２４】
図４は、サンプル画像の中心部を通る水平方向における画素の輝度分布を示す図である。横軸はサンプル画像の画素の水平方向における位置（x’）、縦軸は輝度値である。
ここで、ステップＳ３において取得したサンプル画像の水平方向における画素の輝度分布は、図４に示すように、中央部分から径方向外側（水平方向外側）に向かうに従って輝度値が低くなる２次曲線状となる。これは、サンプル画像において、径方向外側の画素になるほど中央部分の画素に比べてプロジェクタ１からの投射距離が長くなるためである。このような２次曲線状の輝度分布は、水平方向だけでなく、鉛直方向や斜め方向など、サンプル画像の中央部を中心としたどの径方向においても同じような分布となる。
【００２５】
そこで、ステップＳ３の後、輝度値算出手段４２３は、ステップＳ２において取得したサンプル画像の水平方向での輝度分布を、図４の曲線Ｃ１で示すように２次曲線近似することにより、サンプル画像の任意の位置(x’,y’)の画素(x’,y’)の輝度値を表す式br(x’,y’)を算出する（ステップＳ４）。なお、輝度値算出手段４２３は、サンプル画像の任意の位置(x’,y’)の画素(x’,y’)の輝度値br(x’,y’)を、図４の折線Ｃ２で示すように、直線近似により求めてもよいし、スプライン補間等により求めてもよい。
【００２６】
ステップＳ４の後、抽出手段４２４は、サンプル画像の画素(x’,y’) の輝度値br(x’,y’)における最小輝度値br_minを抽出する（ステップＳ５）。本実施形態の場合、サンプル画像の中央部から径方向外側に一番離れた画素、すなわちサンプル画像の水平方向における端の画素の輝度値が最小輝度値br_minとなる。
【００２７】
ステップＳ５の後、補正係数算出手段４２５は、最小輝度値br_minを、サンプル画像の各画素(x’,y’)の輝度値br(x’,y’)で除算した補正係数br_min／br(x’,y’)を算出する（ステップＳ６）。ここで、サンプル画像の各画素(x’,y’)における輝度値br(x’,y’)は、最小輝度値br_minに対し、br(x’,y’)／br_min倍の大きさを有しているため、この補正係数br_min／br(x’,y’)を、サンプル画像の画像情報の各画素(x,y)の輝度値に乗算した場合、投射面Ｔでの輝度値が高くなる中央部の画素(x,y)の輝度値が低減されるなど、サンプル画像での輝度値の大きさに応じて各画素(x,y)の輝度値が低減され、すなわち投射距離に応じて各画素(x,y)の輝度値が低減されることにより、サンプル画像における中央部の画素(x’,y’)の輝度値が高くなるなどの各画素(x’,y’)の位置による輝度変化が補正され、各画素(x’,y’)の輝度値が等しいサンプル画像が形成されることになる。
【００２８】
ステップＳ６の後、乗算手段４２６は、このような補正係数br_min／br(x’,y’)を、外部機器から取得した表示画像に係る画像情報の各画素(x,y) の各成分Ｒ，Ｇ，Ｂの輝度値ごとに乗算する（ステップＳ７）。
【００２９】
このように、本実施形態では、投射画像での各画素(x,y)の位置による輝度変化を補正する補正係数br_min／br(x’,y’)を、画像情報の各画素(x,y)の輝度値ごとに乗算するので、補正前の画像情報において輝度値が等しい画素(x,y)の輝度値を投射画像での輝度値が等しくなるように補正でき、投射画像における各画素の輝度値のばらつきを抑制できる。従って、従来、投射画像において周辺部が暗くなるなど、投射距離に応じて投射画像での各画素(x,y)の輝度値にばらつきが生じていたが、本実施形態では、全体として輝度が均一な投射画像を形成できる。
【００３０】
ステップＳ７の後、出力部４３は、補正された画像情報を各液晶パネル２２に出力して各液晶パネル２２を駆動する（ステップＳ８）。各液晶パネル２２を透過した光束は色合成光学装置で合成され、画像光が投射光学装置２３により投射面Ｔに拡大投射される。これにより、各画素の輝度値のばらつきが抑制されて全体として輝度が均一となった投射画像が投射面Ｔ上に形成される。
【００３１】
以上のような本実施形態のプロジェクタ１によれば、以下の効果を奏することができる。
（１）投射画像での各画素（x’,y’）の位置による輝度変化を補正する補正係数を画像情報の各画素(x,y)の輝度値に乗算するので、補正前の画像情報において輝度値が等しい画素(x,y)の輝度値を、投射画像での輝度値が等しくなるように補正できる。従って、投射画像における各画素（x’,y’）の輝度値のばらつきを抑制でき、全体として輝度が均一な投射画像を形成できる。
（２）投射面Ｔ上に形成されたサンプル画像の輝度値を実際に測定し、この測定値に基づいて補正係数を算出するので精度よく補正できる。
【００３２】
（３）サンプル画像の各画素(x’,y’)における輝度値br(x’,y’)は、各画素(x’,y’) の輝度値br(x’,y’)のうちの所定の輝度値br_aに対し、br(x’,y’)／br_a倍の大きさを有することとなるが、補正係数をこの逆数br_a ／br(x’,y’)としたので、画像情報の各画素(x,y)の輝度値にこの補正係数br_a ／br(x’,y’)を乗算することで、確実に画像情報の各画素(x,y)の輝度値を投射画像において輝度値が等しくなるように補正できる。
【００３３】
（４）補正係数br_a ／br(x’,y’)における所定の輝度値br_aを、サンプル画像の各画素(x’,y’) の輝度値br(x’,y’)のうちの最大輝度値とし、投射画像での輝度値が低くなる端側の画素(x,y)の輝度値を増加させる構成とした場合、当該端側の画素(x,y)の輝度値が２５５などの最大値に設定されていた場合には補正できないという問題がある。これに対し、本実施形態では、所定の輝度値br_aを最小輝度値br_minとし、投射画像での輝度値が高くなる中央側の画素(x,y)の輝度値を低減する構成としたので、中央側の画素(x,y)の輝度値が２５５などの最大値に設定されていても補正でき、画像情報の各画素(x,y)の輝度値を確実に補正できる。
【００３４】
〔第２実施形態〕
次に、本発明の第２実施形態に係るプロジェクタ１Ａについて説明する。
本実施形態のプロジェクタ１Ａは、前述のプロジェクタ１と同様の構成を備えるが、前述のプロジェクタ１では、サンプル画像の輝度値を測定し、この測定値に基づいて補正係数を算出していたが、本実施形態のプロジェクタ１Ａでは、当該プロジェクタ１Ａから投射面Ｔまでの距離を測定し、この測定値に基づいて記憶部４４から補正係数を取得する点が前述のプロジェクタ１と相違する。以下、既に説明した部分と同一機能部位については同一の符号を付してその説明を省略する。
【００３５】
図５は、本実施形態のプロジェクタ１Ａの構成を示すブロック図である。
プロジェクタ１Ａは、図５に示すように、光学ユニット２と、距離測定装置５と、制御装置４とを備えている。本実施形態のプロジェクタ１Ａも、投射面Ｔの正面に設置され、投射面Ｔに対して真正面から画像光を投射する。
距離測定装置５は、例えば赤外線などのレーザー光を出力する出力部と、投射面Ｔに反射したレーザー光を受光する受光部とを備えて構成され、制御装置４による制御の下、プロジェクタ１Ａから投射面Ｔまでの距離を測定する。
【００３６】
制御装置４は、画像情報取得部４１と、記憶部４４と、補正部４２と、出力部４３とを備えている。
記憶部４４は、投射面Ｔまでの距離ごとに補正係数が紐付けられた補正テーブル４４１を記憶している。補正係数は、前述と同様に、各画素の輝度値が等しく設定されたサンプル画像情報の各画素の輝度値に乗算などの所定の演算処理されることで、投射面Ｔ上に形成されたサンプル画像の各画素の位置による輝度変化を補正する値である。この補正係数は、プロジェクタ１Ａにサンプル画像を投射させ、前述と同様に、このサンプル画像の複数の領域の画素の輝度値を測定し、測定した輝度値から算出する。各投射面Ｔまでの距離ごとの補正係数の値は、このような工程を投射面Ｔまでの距離を変えて繰り返し行うことで設定される。
【００３７】
補正部４２は、距離測定手段４２７と、取得手段４２８と、乗算手段４２６とを備えている。
距離測定手段４２７は、距離測定装置５を制御して、プロジェクタ１Ａから投射面Ｔまでの距離を測定する。
取得手段４２８は、記憶部４４から、投射面Ｔまでの距離に応じた補正係数を取得する。
【００３８】
以下、本実施形態のプロジェクタ１Ａによる画像情報補正処理について説明する。
図６は、画像情報補正処理を示すフローチャートである。
ユーザによりプロジェクタ１が所定の操作をされると、前述と同様に、まず、画像情報取得部４１がコンピュータなどの外部機器から表示画像に係る画像情報を取得する（ステップＳＡ１）
ステップＳＡ１の後、距離測定手段４２７は、距離測定装置５を制御して、プロジェクタ１から投射面Ｔまでの距離を測定する（ステップＳＡ２）。
【００３９】
ステップＳＡ２の後、取得手段４２８は、記憶部４４から、測定した投射面Ｔまでの距離に応じた補正係数を取得する。
ステップＳＡ３の後、乗算手段４２６は、画像情報における各画素の各成分Ｒ，Ｇ，Ｂの輝度値ごとに補正係数を乗算する（ステップＳＡ４）。
ステップＳＡ４の後、出力部４３は、補正された画像情報を各液晶パネル２２に出力して各液晶パネル２２を駆動する（ステップＳＡ５）。
【００４０】
このような本実施形態のプロジェクタ１Ａでも、前述のプロジェクタ１と同様の効果(１)、（３）、（４）を奏することができるうえ、以下の効果を奏することができる。
（５）補正係数を、記憶部４４から、測定した投射面Ｔまでの距離に応じて取得するので、補正係数を算出するための複雑な演算処理を不用にできる。
【００４１】
〔実施形態の変形〕
なお、本発明は前述の実施形態に限定されるものではなく、本発明の目的を達成できる範囲での変形、改良等は本発明に含まれるものである。
前記各実施形態では、補正係数br_a ／br(x’,y’)における所定の輝度値br_aを、サンプル画像の各画素(x’,y’) の輝度値br(x’,y’)のうちの最小輝度値br_minとしたが、最大輝度値としてもよいし、適宜の輝度値に設定してよい。
【００４２】
前記各実施形態では、補正係数は、サンプル画像の各画素(x’,y’)の輝度値br(x’,y’)のうちの最小輝度値br_minを各画素(x’,y’)の輝度値br(x’,y’)で除算することで算出したが、補正係数は、サンプル画像の画像情報の各画素(x,y)の輝度値に、乗算など所定の演算処理されることで、サンプル画像の各画素(x’,y’)の位置による輝度変化を補正するものであれば、本実施形態の算出方法に限定されない。
【００４３】
前記第１実施形態では、プロジェクタ１は、投射面Ｔの正面に設置され、投射面Ｔに対して正面から画像光を投射していたが、プロジェクタ１は、投射面Ｔに対して傾斜して設置され、投射面Ｔに対して斜めから画像光を投射してもよい。この場合、プロジェクタ１は、取り込んだサンプル画像の形状を一端矩形に補正した後に、サンプル画像の任意の位置の各画素(x’,y’)の輝度値br(x’,y’)を算出してもよい。
【００４４】
前記各実施形態では、光変調装置は、光入射面と光射出面とが異なる透過型の液晶パネル２５１を備えて構成されていたが、光入射面と光射出面とが同一である反射型の液晶パネルを備えて構成されていてもよいし、ＤＭＤ（Digital Micromirror Device:米国テキサスインスツルメント社の商標）等を備えて構成されていてもよい。
【産業上の利用可能性】
【００４５】
本発明は、投射距離の差による輝度のばらつきを抑制できるためプロジェクタに利用でき、特にプレゼンテーションやホームシアタに用いられるプロジェクタに好適に利用できる。
【図面の簡単な説明】
【００４６】
【図１】本発明の第１実施形態に係るプロジェクタを示す斜視図。
【図２】前記実施形態におけるプロジェクタの構成を示すブロック図。
【図３】前記実施形態における画像情報補正処理を示すフローチャート。
【図４】前記実施形態におけるサンプル画像の中心部を通る水平方向における画素の輝度分布を示す図。
【図５】本発明の第２実施形態に係るプロジェクタの構成を示すブロック図。
【図６】前記実施形態における画像情報補正処理を示すフローチャート。
【符号の説明】
【００４７】
１，１Ａ…プロジェクタ、３…輝度値測定装置、５…距離測定装置、２１…光源装置、２２…液晶パネル（光変調装置）、２３…投射光学装置、４２…補正部、４３…出力部、４４…記憶部、４２１…サンプル画像生成手段、４２２…輝度値測定手段、４２３…輝度値算出手段、４２４…抽出手段、４２５…補正係数算出手段、４２６…乗算手段、４２７…距離測定手段、４２８…取得手段、４４１…補正テーブル、Ｔ…投射面。
【図１】
2009216767.tif 000003
【図２】
2009216767.tif 000004
【図３】
2009216767.tif 000005
【図４】
2009216767.tif 000006
【図５】
2009216767.tif 000007
【図６】
2009216767.tif 000008